(57)【要約】【課題】表面の変位及び損傷状況を把握し易くすることができる撮影方法及び撮影システムを提供する。【解決手段】構造物の表面Ｆ１に生じるひび割れＣ１と識別可能とするために、表面Ｆ１において、白色の下地塗料の上に、黄色の蛍光塗料で計測点Ｍ１を形成する。撮影装置１５は、表面への青色の照射光の反射光を透過するバンドパスフィルタ１６を介して、各計測点を認識可能に撮影した画像を生成する。解析装置２０の制御部２１は、構造物への加力前に、撮影装置１５が撮影して生成した第１画像と、構造物への加力によりひび割れＣ１が発生した状態において、撮影装置１５が撮影して生成した第２画像とを比較して、表面Ｆ１の変位を特定する。【選択図】図１
2020187093.tif 000002
【特許請求の範囲】
【請求項１】
構造物の表面を評価するために用いる撮影方法であって、
前記表面に生じる損傷状況が識別可能な配色の計測点を、前記表面に塗布された下地塗料の上に、照明光の反射率が前記下地塗料とは異なる計測点用塗料で形成し、
照明光によって前記表面により反射される光のうち特定波長域の光を透過するフィルタを介して、前記計測点を認識可能に撮影した画像を生成することを特徴とする撮影方法。
【請求項２】
前記構造物の表面を、前記フィルタを透過する反射光の成分を含む単色の前記照明光で、前記表面を照らして撮影した前記画像を取得することを特徴とする請求項１に記載の撮影方法。
【請求項３】
構造物の表面を評価する制御部を備えた撮影システムであって、
前記表面に生じる損傷状況が識別可能な配色の計測点を、前記表面に塗布された下地塗料の上に、照明光の反射率が前記下地塗料とは異なる計測点用塗料で形成し、
前記制御部は、照明光によって前記表面により反射される光のうち特定波長域の光を透過するフィルタを介して、前記計測点を認識可能に撮影した画像を生成することを特徴とする撮影システム。
【発明の詳細な説明】
【技術分野】
【０００１】
本発明は、構造物の表面に発生する損傷状況と表面の変位等、構造物の表面を評価するために用いる撮影方法及び撮影システムに関する。
【背景技術】
【０００２】
従来、構造物を構成するコンクリートの劣化状態を把握するために、コンクリートの試験体を用いた加力実験が行われている。この加力実験により、試験体に生じたひび割れを特定するための技術が検討されている（例えば、特許文献１参照。）。この文献に記載のひび割れ検出方法においては、コンクリート構造物の表面を撮像した原画像データに対し、ウェーブレット変換を用いて低周波成分を除去する処理を行なって、空間変化率が小さい構造物表面の染みや汚れを除去した二値化画像データを作成する。そして、この二値化画像データを用いて、ひび割れに該当する画素を隣接する画素の平均輝度値で置換することによって背景画像データを作成し、この背景画像データで原画像を除算することにより、染みや汚れあるいは光ムラを除去して、ひび割れだけを抽出する。
【０００３】
更に、試験体の表面の変位を把握するために、表面にパターンで計測点を形成し、変形前後の各計測点の位置を撮影するデジタル画像相関法も検討されている（例えば、非特許文献１参照。）。非特許文献においては、変形前後の表面に形成されたパターンを構成する各計測点の位置から、表面のひずみを算出する３Ｄ動的変形計測システムが記載されている。
【０００４】
そして、従来、このようなデジタル画像相関法を用いる計測点の変位を把握し易くするために、計測点を、下地とのコントラストが強くなる色で形成していた。具体的には、表面全体を白色に塗布した後、その上に、黒色で計測点を形成していた。
【先行技術文献】
【特許文献】
【０００５】
【特許文献１】特開２００６−１６２４７７号公報
【非特許文献】
【０００６】
【非特許文献１】宮下進太郎著  「新製品・新技術紹介  画像相関法に基づく３Ｄ動的変形計測システム  ＡＲＡＭＩＳ」、一般社団法人  軽金属溶接協会編、「軽金属溶接」Ｖｏｌ．５６  （２０１８）、ＮＯ．５、ｐｐ１９０−１９３
【発明の概要】
【発明が解決しようとする課題】
【０００７】
しかしながら、計測点のパターンを黒色で形成した場合、このパターンに紛れて、ひび割れ等の損傷状況を把握することが難しかった。具体的には、図５（ａ）及び（ｂ）には、加力実験を行なった十字形状の試験体の左側部分及び右側部分を示す。この試験体においては、図５（ａ）に示す左側部分には変形計測用の黒色の計測点のパターンが形成され、図５（ｂ）に示す右側部分には黒色の計測点のパターンが形成されていない。この場合、図５（ａ）の左側部分にもひび割れが生じているはずであるが、この図５（ａ）では、ひび割れを把握することは難しかった。
【課題を解決するための手段】
【０００８】
上記課題を解決する撮影方法は、構造物の表面を評価するために用いる撮影方法であって、前記表面に生じる損傷状況が識別可能な配色の計測点を、前記表面に塗布された下地塗料の上に、照明光の反射率が前記下地塗料とは異なる計測点用塗料で形成し、照明光によって前記表面により反射される光のうち特定波長域の光を透過するフィルタを介して、前記計測点を認識可能に撮影した画像を生成する。
【発明の効果】
【０００９】
本発明によれば、表面の損傷状況及び表面の変位を的確に把握することができる。
【図面の簡単な説明】
【００１０】
【図１】実施形態のシステム構成を説明する説明図。
【図２】実施形態のハードウェア構成例の説明図。
【図３】実施形態における表面評価処理の処理手順を説明する流れ図。
【図４】実施形態においてひび割れが生じた表面を撮影した画像の説明図であって、（ａ）損傷観察画像、（ｂ）はバンドパスフィルタに透過させて取得した画像。
【図５】従来における加力実験を行なった十字形状の試験体の表面の説明図であり、（ａ）は試験体の左側部分、（ｂ）は試験体の右側部分。
【発明を実施するための形態】
【００１１】
以下、図１〜図４を用いて、撮影方法及び撮影システムを具体化した一実施形態を説明する。本実施形態では、柱梁架構等に用いられるコンクリート製の部材（試験体）の加力実験において、試験体（構造物）の表面のひび割れ（損傷状態）及び表面における変位（ひずみや移動量等）を評価する。
【００１２】
図１に示す試験体の表面Ｆ１は、加力実験後の状態を示している。この表面Ｆ１には、ひび割れＣ１が生じている。
図１に示すように、本実施形態の撮影システムとしての表面評価システム１０は、単色光光源装置１１、撮影装置１５、バンドパスフィルタ１６及び解析装置２０を備える。
【００１３】
単色光光源装置１１は、単色光を発生させて、試験体の表面に投光する。本実施形態では、この単色光光源装置１１は、青色光を発生させる青色ＬＥＤである。本実施形態で使用する青色ＬＥＤは、青色光を出力し、特に波長４６５〜４７０（ｎｍ）の青色光を強く出力する特性を有する。
【００１４】
撮影装置１５は、センサ感度の範囲に合わせて、試験体の表面を撮影する。撮影装置１５のレンズの前には、バンドパスフィルタ１６が取り外し可能に配置される。バンドパスフィルタ１６がレンズの前に設置された場合には、撮影装置１５は、バンドパスフィルタ１６を通過する波長域がセンサ感度の範囲より狭いため、バンドパスフィルタ１６を通過する透過光による撮影画像を生成する。また、バンドパスフィルタ１６をレンズの前から取り外した場合には、撮影装置１５は、可視光の波長域を含む白色ＬＥＤ等の白色光により照明された被写体の撮影画像を生成する。
【００１５】
バンドパスフィルタ１６は、所定の特定波長域のみを通過させるフィルタであり、ガラスやアクリル等で形成されている。本実施形態では、単色光光源装置１１の青色光が、試験体の表面で反射され、この反射光のみを透過させるために用いる。具体的には、波長４６５〜４７０（ｎｍ）の光を透過するバンドパスフィルタ１６を用いる。本実施形態では、波長４６５〜４７０（ｎｍ）の光を透過するバンドパスフィルタ１６を用いることにより、単色光光源装置１１が出力した青色光のみを通過させて、試験体の表面で反射された光を特定する。
【００１６】
解析装置２０は、撮影装置１５に接続される。
（ハードウェア構成例）
図２は、解析装置２０として機能する情報処理装置Ｈ１０のハードウェア構成例である。
【００１７】
情報処理装置Ｈ１０は、通信装置Ｈ１１、入力装置Ｈ１２、表示装置Ｈ１３、記憶部Ｈ１４、プロセッサＨ１５を有する。なお、このハードウェア構成は一例であり、他のハードウェアを有していてもよい。
【００１８】
通信装置Ｈ１１は、他の装置との間で通信経路を確立して、データの送受信を実行するインタフェースであり、例えばネットワークインタフェースカードや無線インタフェース等である。
【００１９】
入力装置Ｈ１２は、利用者等からの入力を受け付ける装置であり、例えばマウスやキーボード等である。表示装置Ｈ１３は、各種情報を表示するディスプレイやタッチパネル等である。
【００２０】
記憶部Ｈ１４は、解析装置２０の各種機能を実行するためのデータや各種プログラムを格納する記憶装置（例えば、後述する画像情報記憶部２５）である。記憶部Ｈ１４の一例としては、ＲＯＭ、ＲＡＭ、ハードディスク等がある。
【００２１】
プロセッサＨ１５は、記憶部Ｈ１４に記憶されるプログラムやデータを用いて、解析装置２０における各処理（例えば、後述する制御部２１における処理）を制御する。プロセッサＨ１５の一例としては、例えばＣＰＵやＭＰＵ等がある。このプロセッサＨ１５は、ＲＯＭ等に記憶されるプログラムをＲＡＭに展開して、各種処理に対応する各種プロセスを実行する。例えば、プロセッサＨ１５は、解析装置２０のアプリケーションプログラムが起動された場合、後述する図３に示す各処理を実行するプロセスを動作させる。
【００２２】
プロセッサＨ１５は、自身が実行するすべての処理についてソフトウェア処理を行なうものに限られない。例えば、プロセッサＨ１５は、自身が実行する処理の少なくとも一部についてハードウェア処理を行う専用のハードウェア回路（例えば、特定用途向け集積回路：ＡＳＩＣ）を備えてもよい。すなわち、プロセッサＨ１５は、（１）コンピュータプログラム（ソフトウェア）に従って動作する１つ以上のプロセッサ、（２）各種処理のうち少なくとも一部の処理を実行する１つ以上の専用のハードウェア回路、或いは（３）それらの組み合わせ、を含む回路（circuitry）として構成し得る。プロセッサは、ＣＰＵ並びに、ＲＡＭ及びＲＯＭ等のメモリを含み、メモリは、処理をＣＰＵに実行させるように構成されたプログラムコード又は指令を格納している。メモリすなわちコンピュータ可読媒体は、汎用又は専用のコンピュータでアクセスできるあらゆる利用可能な媒体を含む。
【００２３】
（解析装置２０の機能）
図１に示す解析装置２０は、表面のひび割れ等の損傷や表面の変位を計測して解析するためのコンピュータ端末である。解析装置２０は、制御部２１及び画像情報記憶部２５を備える。
【００２４】
制御部２１は、後述する処理（画像取得段階、変位計測段階、計測出力段階等を含む処理）を行なう。このための表面評価プログラムを実行することにより、制御部２１は、画像取得部２１１、変位計測部２１２及び計測出力部２１３として機能する。
【００２５】
画像取得部２１１は、撮影装置１５から画像を取得する。
変位計測部２１２は、表面における変位を評価するために、表面に形成されたランダムパターンで配置された計測点Ｍ１の位置の変化（変位）を計測する。
計測出力部２１３は、加力実験の前後で撮影した画像に基づいて計測した表面の変位と、ひび割れの位置とを出力する。
【００２６】
画像情報記憶部２５は、撮影装置１５で撮影した画像を記憶する。本実施形態では、損傷観察画像と変位計測用画像とを記憶する。損傷観察画像は、白色の光により撮影された画像であって、表面に発生したひび割れが観察できる画像である。変位計測用画像は、バンドパスフィルタ１６を用いて撮影された画像であって、実験前に撮影される第１画像と、実験後に撮影される第２画像とが含まれる。
【００２７】
＜表面評価処理＞
次に、図１、図３及び図４を用いて、表面評価処理について説明する。本実施形態の表面評価処理は、試験体の加力実験を行なう前に実行する準備処理と、加力実験を行なった後に実行する計測処理とを含む。
【００２８】
まず、試験体において計測対象の表面の全面に下地塗料を塗布する（ステップＳ１−１）。本実施形態では、下地塗料として、白色の汎用の水性塗料を用いる。
下地塗料が乾いた後、下地塗料の上に、蛍光塗料で計測点を形成する（ステップＳ１−２）。本実施形態では、株式会社小松プロセス製の「水性蛍光塗料  蛍彩  蛍光イエロー」を用いて、ランダムパターンで計測点Ｍ１を形成する。このランダムパターンは、複数の形状及び大きさを有する計測点Ｍ１をランダムに配置したパターンである。このランダムパターンを形成する塗料は特殊であるが、パターンの形状や配置は、通常の加力実験で使用されるものと同じパターンを用いることができる。本実施形態では、手書きでランダムに計測点Ｍ１を、下地塗料の上に描く。
【００２９】
そして、解析装置２０の制御部２１は、ランダムパターンの試験前の撮影記録処理を実行する（ステップＳ１−３）。具体的には、単色光光源装置１１により青色光で試験体の表面Ｆ１を照らす。そして、撮影装置１５により、試験体の表面Ｆ１を撮影する。
【００３０】
この場合、撮影装置１５は、表面Ｆ１において反射され、かつバンドパスフィルタ１６の透過光により第１画像を生成する。本実施形態では、白色の下地において青色光が反射され、黄色の蛍光塗料で形成された各計測点においては、青色光が吸収される。このため、撮影装置１５は、バンドパスフィルタ１６を介して、下地に対応する部分の輝度が高く（明るく）、各計測点に対応する部分の輝度が低く（暗く）なる画像を生成する。
【００３１】
そして、撮影装置１５は、生成した第１画像を、解析装置２０の制御部２１に送信する。制御部２１の画像取得部２１１は、取得した第１画像を、画像情報記憶部２５に記録する。
その後、従来と同様に、加力実験を行なう。
【００３２】
加力実験が終了した場合には、解析装置２０の制御部２１は、ひび割れの撮影記録処理を実行する（ステップＳ２−１）。具体的には、バンドパスフィルタ１６を撮影装置１５のレンズの前から取り外し、白色の照明光により試験体の表面Ｆ１を撮影する。そして、撮影装置１５が撮影した画像を、損傷観察画像として画像情報記憶部２５に記憶する。
【００３３】
図４（ａ）には、白色光で撮影した損傷観察画像を示す。この画像において、表面Ｆ１には、黄色の蛍光塗料で各計測点が形成されている。白色光の下では、試験体の表面の下地塗料及び各計測点（黄色）は明度が高いが、ひび割れは黒色で明度が低い。このため、下地塗料に対してランダムパターンの各計測点が目立たず、表面に生じたひび割れをはっきりと識別することができる。
【００３４】
次に、解析装置２０の制御部２１は、ランダムパターンの試験後の撮影記録処理を実行する（ステップＳ２−２）。具体的には、ランダムパターンの試験前の撮影記録処理と同様に、単色光光源装置１１から青色光を試験体の表面Ｆ１に投光し、試験体の表面Ｆ１を、バンドパスフィルタ１６を取り付けた撮影装置１５で撮影する。そして、解析装置２０の制御部２１の画像取得部２１１は、撮影装置１５から第２画像を取得して、画像情報記憶部２５に記録する。
【００３５】
図４（ｂ）には、第２画像を示す。この画像においては、試験体の表面Ｆ１に蛍光塗料で形成された各計測点を認識することができる。
次に、解析装置２０の制御部２１は、画像比較による変位計測処理を実行する（ステップＳ２−３）。具体的には、制御部２１の変位計測部２１２は、画像情報記憶部２５から第１画像及び第２画像を取得する。そして、変位計測部２１２は、第１画像及び第２画像において対応する同一の計測点を特定し、特定した計測点の位置の変化（変位）を示す変位マッピング図を生成する。
【００３６】
そして、解析装置２０の制御部２１は、試験結果の出力処理を実行する（ステップＳ２−４）。具体的には、制御部２１の計測出力部２１３は、画像情報記憶部２５から、損傷観察画像を取得し、この画像に含まれるひび割れの位置を特定する。そして、計測出力部２１３は、ステップＳ２−３で生成した変位マッピング図と、ひび割れの位置を特定した損傷観察画像とを、表示装置に出力する。この場合、画像における試験体の形状や撮影装置１５の撮影位置に基づいて、損傷観察画像における試験体の表面位置と、変位マッピング図における試験体の表面位置との位置合わせを行なって出力してもよい。
【００３７】
本実施形態によれば、以下のような効果を得ることができる。
（１）本実施形態では、試験体の表面Ｆ１に生じるひび割れＣ１と識別可能な配色の各計測点Ｍ１を、試験体の表面Ｆ１に形成する。各計測点Ｍ１は、バンドパスフィルタ１６を介して撮影した場合、表面Ｆ１の下地と識別可能に形成される。そして、加力実験前後の第１画像及び第２画像を比較して、試験体の表面の変位を特定して出力する。これにより、表面に生じたひび割れ等の損傷状況と、各計測点Ｍ１に基づいて特定される試験体の表面の変位とを対比して把握することができる。
【００３８】
（２）本実施形態では、試験体の表面Ｆ１に、青色光を反射する白色の下地塗料を塗布し、その上に、青色光を吸収する黄色の蛍光塗料で各計測点Ｍ１を形成する。これにより、各計測点Ｍ１を形成した蛍光塗料の黄色と下地の白色とは、黒色のひび割れＣ１と明度が違うため、各計測点Ｍ１に対してひび割れＣ１を容易に把握することができる。
【００３９】
（３）本実施形態では、第１画像及び第２画像を取得する場合には、単色光光源装置１１から青色光を試験体の表面Ｆ１に投光する。青色は、色相環において、明度の高い黄色やオレンジの補色及びその近傍の位置にある。明度の低いひび割れと区別し易い黄色やオレンジ色を計測点として用いることができ、可視光においてひび割れを容易に検出することができる。また、単色光及びこの単色光の波長に応じたバンドパスフィルタ１６を用いることにより、環境の影響を低減でき、計測点Ｍ１の位置を明確に特定することができる。なお、青色以外の単色光（例えば、赤色光や緑色光）を用いる場合、この単色光の補色及びその近傍の色は、明度が低い（暗い）色となる。このため、単色光の補色で各計測点を形成した場合には、ひび割れを特定することが難しくなる。また、単色光以外の光を用いる場合、この光は広範囲の波長を含むため、バンドパスフィルタを通過する周波数の成分の光が弱くなり、各計測点が区別し難くなる。
【００４０】
（４）本実施形態では、解析装置２０の制御部２１は、青色光のみを透過するバンドパスフィルタ１６を介して撮影した第１画像及び第２画像を取得する。黄色の蛍光塗料で形成された各計測点Ｍ１からの蛍光（反射光）は、バンドパスフィルタ１６を透過しないため、第１画像及び第２画像において、各計測点Ｍ１に対応する部分は黒色になる。従って、バンドパスフィルタ１６を用いることにより、各計測点Ｍ１と下地の白色とのコントラストを明確にでき、各計測点の位置を明確に把握することができる。なお、バンドパスフィルタ１６がない場合には、撮影装置１５において、各計測点から蛍光（反射光）を受光するため、各計測点Ｍ１に対応する部分は黒色にならない。
【００４１】
（５）本実施形態では、解析装置２０の制御部２１は、第１画像及び第２画像を用いて試験体の表面の変位に関する変位マッピング図と、ひび割れの位置を特定した損傷観察画像とを出力する。これにより、試験体の表面Ｆ１の変位とひび割れＣ１との位置関係を把握することができる。
【００４２】
本実施形態は、以下のように変更して実施することができる。本実施形態及び以下の変更例は、技術的に矛盾しない範囲で互いに組み合わせて実施することができる。
・上記実施形態では、試験体の表面Ｆ１に、単色光光源装置１１からの青色光を反射する白色の下地塗料を塗布し、下地塗料の上に青色光を吸収する黄色の蛍光塗料で各計測点を形成し、青色光のみを透過するバンドパスフィルタ１６を用いた。損傷状況と識別可能な配色の計測点を形成する色や材料、バンドパスフィルタの特性等は、これに限定されない。
【００４３】
例えば、青色の照射光を照射し、表面に白色の下地塗料を塗布し、青色のみを透過するバンドパスフィルタを用いる場合には、各計測点を、黄色、オレンジ色の反射塗料を用いて形成してもよい。具体的には、株式会社小松プロセス製の「ブライトコードＮタイプ」の「イエロー」又は「オレンジ」を用いてもよい。また、黄緑色の塗料を用いてもよい。更に、これらを混在させて用いてもよい。
【００４４】
また、実施形態において計測点に用いた塗料（照射光を吸収する塗料）で、下地を塗布し、実施形態で下地に用いた白色の塗料（又は反射塗料）で計測点を形成してもよい。この場合、各計測点を黄色の蛍光塗料で形成し、青色光を照射する場合には、下地として、明度が高い青色や空色を用いてもよい。
更に、バンドパスフィルタは、白色の下地塗料によって反射された照明光を反射した特定波長域の光を透過する物に限られない。通過させる光の波長や撮影装置１５のセンサ感度の範囲に合わせたバンドパスフィルタを用いる。例えば、照明光を受けて発光する光（蛍光）を通過するバンドパスフィルタを用いてもよい。
【００４５】
・上記実施形態では、解析装置２０の制御部２１は、第１画像及び第２画像に基づいて変位マッピング図とともに、損傷観察画像を表示装置に出力した。制御部２１は、損傷観察画像も出力する場合に限らず、変位マッピング図のみを出力してもよい。この場合、損傷については目視により把握してもよい。また、加力実験中に、変位マッピング図及び損傷観察画像を定期的に取得し、加力実験における時系列の変化を把握してもよい。
【００４６】
・上記実施形態では、表面の計測点を、ランダムパターンで形成した。計測に用いる複数の計測点を、ランダムなパターンで形成する場合に限られず、規則的なパターンで形成してもよい。また、計測点を、手で形成する場合に限られず、パターンが形成されたローラ等を用いて形成してもよい。また、計測点は、パターンで形成しなくても、表面の変位が把握できれば、１つや２つであってもよい。
【００４７】
・上記実施形態では、加力実験を行なう試験体の表面の変位と損傷状況とを把握した。表面を評価する構造物は、試験体に限られない。例えば、実際の建物等の構造物について、力が加わる前後の画像（第１画像及び第２画像）を取得し、表面の変位と損傷状況を把握してもよい。
・上記実施形態では、構造物としてコンクリートの試験体を用いた。測定する構造物の表面は、コンクリートに限定されず、例えば、鉄骨材等の金属、プラスチック等の合成樹脂、木等で構成される構造物の表面でもよい。
【００４８】
・上記実施形態では、撮影装置１５を用いて、ひび割れを撮影した損傷観察画像と、計測点のランダムパターンを撮影した第１及び第２画像とを生成した。損傷観察画像と、第１及び第２画像とは、別々の撮影装置を用いて生成してもよい。この場合、個々の撮影装置の撮影位置や構造体の形状に基づいて、損傷観察画像における構造体の表面位置と、第１及び第２画像における構造体の表面位置とを対応付けしてもよい。
・上記実施形態では、バンドパスフィルタ１６が取り外し可能な撮影装置１５を用いて、計測点のランダムパターンを撮影した。計測点のランダムパターンを撮影する撮影装置は、バンドパスフィルタが着脱可能な構成の撮影装置に限定されず、バンドパスフィルタを固定した着脱できない構成の撮影装置を用いてもよい。例えば、感光部の素子の表面に、特定の波長のみを透過させるような特殊な加工を施した撮影装置を用いてもよい。
また、ひび割れや計測点を撮影する撮影装置として、ステレオカメラを用いて画像を撮影してもよい。
【００４９】
次に、上記実施形態及び別例から把握できる技術的思想について、それらの効果とともに以下に追記する。
（ａ）前記下地塗料は、白色の塗料、又は反射塗料であって、前記計測点用塗料は、蛍光黄色の塗料、又は黄色の反射塗料であって、前記フィルタは、青色の照射光の反射光を透過するバンドパスフィルタであることを特徴とする請求項１又は２に記載の撮影方法。
これにより、計測点を形成する黄色は、下地の色に対してコントラストが弱いため、ひび割れを容易に把握することができる。
【００５０】
（ｂ）請求項１、２又は（ａ）に記載の撮影方法によって、前記構造物への加力の前に撮影した第１画像と、請求項１、２又は（ａ）に記載の撮影方法によって、前記加力の後に前記損傷状況が発生した状態を撮影した第２画像とを比較して、前記構造物の変位を特定することを特徴とする表面評価方法。
これにより、表面に生じたひび割れ等の損傷状況と、加力の前後の計測点の位置に基づいて特定される表面の変位とを対比して把握することができる。
【００５１】
（ｃ）前記制御部は、前記損傷状況が発生した状態の前記構造物に対して、前記照射光とは異なる観察光を照射して、前記損傷状況を特定して出力することを特徴とする請求項３に記載の撮影システム。
これにより、表面の変位とともに、表面の損傷状況を出力することができる。
【符号の説明】
【００５２】
Ｃ１…ひび割れ、Ｆ１…表面、Ｍ１…計測点、１０…表面評価システム、１１…単色光光源装置、１５…撮影装置、１６…バンドパスフィルタ、２０…解析装置、２１…制御部、２５…画像情報記憶部、２１１…画像取得部、２１２…変位計測部、２１３…計測出力部。
【図１】
2020187093.tif 000003
【図２】
2020187093.tif 000004
【図３】
2020187093.tif 000005
【図４】
2020187093.tif 000006
【図５】
2020187093.tif 000007